(57)【要約】【課題】清掃性が良好であり、使用者が操作部の位置を容易に認識することができるトイレ用リモートコントローラを提供する。【解決手段】リモートコントローラ１０は、使用者が操作する第１操作部１２Ｌと、点字１２Ｃとを有した操作面１２Ａを備え、第１操作部１２Ｌは、第１操作部１２Ｌの表面の少なくとも外周縁部の一部が外周縁部の全周にわたって突出した凸部１２Ｂを具備し、操作面１２Ａから第１操作部１２Ｌの表面が突出した高さは、操作面１２Ａから点字１２Ｃが突出した高さより小さい。【選択図】図１
2019138052.tif 000002
【特許請求の範囲】
【請求項１】
使用者が操作する第１操作部と、
点字と、
を有した操作面を備えたトイレ用リモートコントローラであって、
前記第１操作部の表面の少なくとも外周縁部の一部が前記外周縁部の全周にわたって前記操作面から突出し、
前記操作面から前記第１操作部の表面が突出した高さは、前記操作面から前記点字が突出した高さより小さいことを特徴とするトイレ用リモートコントローラ。
【請求項２】
１枚の板状に形成され、前記第１操作部、及び前記点字の形状を保持して前記操作面を形成した操作面部材と、
前記操作面部材の裏面に配置した圧電素子と、
を備えていることを特徴とする請求項１に記載のトイレ用リモートコントローラ。
【請求項３】
前記操作面は、
管理者が操作する第２操作部と、
前記管理者が前記第２操作部であることを認識する表示部と、
を有していることを特徴とする請求項１又は２に記載のトイレ用リモートコントローラ。
【請求項４】
前記第２操作部の表面は前記操作面と面一であることを特徴とする請求項３に記載のトイレ用リモートコントローラ。
【請求項５】
前記表示部の表面は前記操作面と面一であることを特徴とする請求項３又は４に記載のトイレ用リモートコントローラ。
【発明の詳細な説明】
【技術分野】
【０００１】
本発明はトイレ用リモートコントローラに関するものである。
【背景技術】
【０００２】
特許文献１には、壁面に取り付けられたトイレ用リモートコントローラが開示されている。このトイレ用リモートコントローラには、手前側に下って傾斜した上面が設けられている。そして、この上面には、「流す」の文字と、「流す」の文字の下方に「大」スイッチと、「小」スイッチとが設けられている。また、「流す」の文字の左右には、「大」、「小」の文字が点字で凸設されている。これにより、このトイレ用リモートコントローラは、目の不自由な使用者にスイッチの機能を認識させることができる。また、このトイレ用リモートコントローラは、特許文献１の図４、５、７に示すように、「大」スイッチ、及び「小」スイッチは上面から突出していないと考えられる。このため、このトイレ用リモートコントローラは、上面の清掃性が良好である。
【先行技術文献】
【特許文献】
【０００３】
【特許文献１】特開２００３−１４７８３４号公報
【発明の概要】
【発明が解決しようとする課題】
【０００４】
しかし、このトイレ用リモートコントローラは、例えば目の不自由な使用者に対して、点字によってスイッチの機能を認識させることができるが、「大」スイッチ、及び「小」スイッチが上面から突出していないため、点字の近傍にスイッチが設けられていることが予測できたとしても、スイッチの位置を正確に判別することが難しいと考えられる。
【０００５】
本発明は、上記従来の実情に鑑みてなされたものであって、清掃性が良好であり、使用者が操作部の位置を容易に認識することができるトイレ用リモートコントローラを提供することを解決すべき課題としている。
【課題を解決するための手段】
【０００６】
本発明のトイレ用リモートコントローラは、
使用者が操作する第１操作部と、
点字と、
を有した操作面を備えたトイレ用リモートコントローラであって、
前記第１操作部の表面の少なくとも外周縁部の一部が前記外周縁部の全周にわたって前記操作面から突出し、
前記操作面から前記第１操作部の表面が突出した高さは、前記操作面から前記点字が突出した高さより小さいことを特徴とする。
【０００７】
このトイレ用リモートコントローラは、操作面から第１操作部を突出させることによって、使用者に第１操作部の位置を容易に認識させることができる。また、操作面からの第１操作部の突出する高さを点字の突出する高さより小さくすることによって、操作面からの第１操作部の突出する高さが抑えられ、第１操作部の周囲を拭き残し等なく良好に清掃することができる。
【０００８】
したがって、本発明のトイレ用リモートコントローラは、清掃性が良好であり、使用者が操作部の位置を容易に認識することができる。
【図面の簡単な説明】
【０００９】
【図１】実施例１のトイレ用リモートコントローラの正面図である。
【図２】実施例１のトイレ用リモートコントローラを左方から見た側面図である。
【図３】実施例１のトイレ用リモートコントローラを下方から見た側面図である。
【図４】図１における矢示Ａ−Ａ断面図である。
【図５】実施例１のトイレ用リモートコントローラをトイレ室内の壁面に取り付けた状態を示す概略図である。
【発明を実施するための形態】
【００１０】
本発明における好ましい実施の形態を説明する。
【００１１】
本発明のトイレ用リモートコントローラは、１枚の板状に形成され、第１操作部、及び点字の形状を保持して操作面を形成した操作面部材と、操作面部材の裏面に配置した圧電素子とを備え得る。この場合、このトイレ用リモートコントローラは、圧電素子を用いることによって、第１操作部を操作した際の第１操作部の変位量が小さくても、使用者に第１操作部を操作したこと認識させることができる。
【００１２】
本発明のトイレ用リモートコントローラの操作面は、管理者が操作する第２操作部と、管理者が第２操作部であることを認識する表示部とを有し得る。この場合、表示部によって管理者（例えば、トイレ用リモートコントローラによって遠隔操作される便器装置を管理する管理者等）のみに第２操作部を操作させることができる。例えば、第２操作部に管理者モードの機能を付与させることができるため、便器装置の管理を簡単にすることができる。
【００１３】
本発明のトイレ用リモートコントローラの第２操作部の表面は操作面と面一であり得る。この場合、このトイレ用リモートコントローラは第２操作部を備えていることを使用者に対してより認識させ難くすることができる。
【００１４】
本発明の表示部の表面は操作面と面一であり得る。この場合、このトイレ用リモートコントローラは第２操作部を備えていることを使用者に対してさらに認識させ難くすることができる。
【００１５】
次に、本発明のトイレ用リモートコントローラを具体化した実施例１について、図１〜５を参照しつつ説明する。
【００１６】
＜実施例１＞
実施例１のトイレ用リモートコントローラであるリモートコントローラ１０は、図１〜３に示すように、ほぼ平板状をなし四隅が弧状に形成された長方形状をなしている。リモートコントローラ１０はトイレ室の壁面Ｗに固定されたホルダ（図示せず）等を介して壁面Ｗに沿うように取り付けられる（図５参照。）。トイレ室には、図５に示すように、便器装置２、及び便器装置２に付帯する電動装置３等が設置されている。
便器装置２は便器本体２Ａ、及び便座２Ｂ等を有している。便座２Ｂには便座２Ｂの温度を所定の温度にするヒーター（図示せず）が設けられている。電動装置３は、例えば、シャワーノズル３Ａや、便器洗浄装置（図示せず）等が設けられている。シャワーノズル３Ａは、便座２Ｂに着座した使用者の局部に向けて吐水するシャワー処理を実行することができる。便器洗浄装置は便器本体２Ａに洗浄水を供給して便器本体２Ａを洗浄することができる。リモートコントローラ１０は電動装置３を遠隔操作することができる。
【００１７】
リモートコントローラ１０は、図１〜３に示すように、ケース１１、及び操作面１２Ａを有した操作面部材１２を備えている。
ケース１１の外形は、ほぼ平板状をなし四隅が弧状に形成された長方形状をなしている。
また、図４に示すように、ケース１１の前側（図４における右側である）には後方向（図４における左側に向かう方向である）に窪んだ凹部１１Ａが形成されている。凹部１１Ａ内には電気基板や、後述する圧電素子等が収納される（図示せず。）。
【００１８】
操作面部材１２は、例えば１枚の板状に形成されたアクリル（ＰＭＭＡ）、ポリカーボネート（ＰＣ）、及びアクリロニトリルブタジエンスチレン（ＡＢＳ）等の硬質な合成樹脂製である。操作面部材１２は、図１〜３に示すように、ケース１１の外形より僅かに小さいほぼ長方形状をなしている。操作面部材１２の表面（前側の面）は操作面１２Ａである。操作面１２Ａは複数の第１操作部１２Ｌ、点字１２Ｃ、第２操作部１２Ｇ、及び表示部１２Ｈを具備している。
【００１９】
第１操作部１２Ｌは電動装置３を遠隔操作する際に使用者が操作する。各第１操作部１２Ｌは使用者が操作すると後述する圧電素子が反応する領域である。なお、図１における点線は、第１操作部１２Ｌの領域を説明するために図示したものであり、操作面部材１２には設けられていない。また、各第１操作部１２Ｌには、四隅が弧状に形成された四角形状をなして操作面１２Ａから突出した凸部１２Ｂが設けられている。凸部１２Ｂは第１操作部１２Ｌを構成する要素である。各凸部１２Ｂは、操作面部材１２と一体的に形成されており、操作面部材１２の長手方向に一列に並んでいる。つまり、図１において、第１操作部１２Ｌは、第１操作部１２Ｌの表面の少なくとも外周縁部の一部が外周縁部の全周にわたって操作面１２Ａに対して段差を有しており、所定の高さ（およそ０．２５ｍｍ）突出した凸部を具備している。また、図４に示すように、各凸部１２Ｂの外周縁には立面１２Ｅが形成されている。立面１２Ｅは操作面１２Ａから直交する方向に離れる方向で、凸部１２Ｂの中央部に向けて延びる直線状に形成されている。また、立面１２Ｅは、曲面１２Ｋを介して凸部１２Ｂの表面に連続し、曲面１２Ｊを介して操作面１２Ａに連続している。
【００２０】
また、凸部１２Ｂの周囲には操作面１２Ａと区別するための隙間が形成されていない。このため、凸部１２Ｂは操作面部材１２と一体的に形成することができる。そして、凸部１２Ｂが操作面部材１２と一体的に形成されているため、操作面部材１２に対して大きく変位することがない。そして、操作面部材１２は硬質な合成樹脂製である。これにより、凸部１２Ｂの表面が操作面１２Ａに対して突出する高さを抑えても、使用者の指に立面１２Ｅ及び曲面１２Ｋが引っ掛かる感触が伝わり易い。このため、使用者は凸部１２Ｂの位置を容易に認識することができる。
【００２１】
また、立面１２Ｅを操作面１２Ａから直交する方向に拡げ、曲面１２Ｋ，１２Ｊをより小さくすると、凸部１２Ｂの外周縁が使用者の指により引っ掛かり易くすることができる。
これによっても、凸部１２Ｂの表面が操作面１２Ａに対して突出する高さを抑えても、使用者は凸部１２Ｂの位置を容易に認識することができる。つまり、使用者の指が引っ掛かり易い凸部１２Ｂの外周縁は、操作面１２Ａから直交する方向に離れる方向で、凸部１２Ｂの中央部に向けて延びる直線状に形成された立面１２Ｅを具備している。
【００２２】
また、図１に示すように、各凸部１２Ｂは四隅が弧状に形成された四角形状をなしており、各四辺の中央部がほぼ直線状に形成されている。これにより、使用者の指が凸部１２Ｂの各四辺の中央部に触れた場合、凸部１２Ｂの外形が円形状である場合に比べて、使用者の指に立面１２Ｅ及び曲面１２Ｋが触れる寸法が長くなる。このため、凸部１２Ｂの表面が操作面１２Ａに対して突出する高さを抑えても、使用者の指に立面１２Ｅ及び曲面１２Ｋが引っ掛かり易く、使用者は凸部１２Ｂの位置を容易に認識することができる。
【００２３】
点字１２Ｃは、各第１操作部１２Ｌのそれぞれに対応するものが、各第１操作部１２Ｌのそれぞれの上側（図１における上側である）に設けられている。点字１２Ｃが操作面１２Ａから突出する高さはおよそ０．５ｍｍである。つまり、操作面部材１２は、凸部１２Ｂ、及び点字１２Ｃの形状を保持して操作面１２Ａを形成している。また、操作面１２Ａから凸部１２Ｂの表面が突出した高さは、操作面１２Ａから点字１２Ｃが突出した高さより小さい。
また、凸部１２Ｂの表面が操作面１２Ａから突出する高さをおよそ０．４ｍｍにすると、使用者が凸部１２Ｂの位置をより良好に認識することができる。
また、複数の凸部１２Ｂの内の一部の表面にも点字１２Ｆが設けられている。これら点字１２Ｆの凸部１２Ｂの表面から突出する高さはおよそ０．５ｍｍである。
【００２４】
第２操作部１２Ｇは管理者（例えば、リモートコントローラ１０によって遠隔操作される便器装置２を管理する管理者等）が操作するものである。具体的には、第２操作部１２Ｇは、便器装置２の便座２Ｂのヒーターの温度や、シャワーノズル３Ａから吐水される洗浄水の温度等の設定を管理者が変更する際に操作する。つまり、第２操作部１２Ｇには、所謂、管理者モードに移行する機能が割り当てられている。管理者モードに移行するには、例えば、第２操作部１２Ｇを複数回押下したり、凸部１２Ｂを押下するよりも大きい力で第２操作部１２Ｇを押下したりする。第２操作部１２Ｇは操作面１２Ａの下側（図１における下側である）の右端部（図１における右端部である）に設けられている。第２操作部１２Ｇの表面は操作面１２Ａと面一である。なお、図１における点線は、第２操作部１２Ｇの領域を説明するために図示したものであり、操作面部材１２には設けられていない。第２操作部１２Ｇが位置する操作面部材１２の裏面側には、この裏面に沿うように公知の圧電素子（図示せず）が配置されている。
表示部１２Ｈは、操作面１２Ａに印刷等によって施された文字、記号、及び図形等である。表示部１２Ｈの表面は操作面１２Ａと面一である。表示部１２Ｈは第２操作部１２Ｇの領域内に設けられている。表示部１２Ｈは第２操作部１２Ｇが設けられていることを管理者のみに認識させることができる。これにより、リモートコントローラ１０は第２操作部１２Ｇを管理者のみに操作させることができる。つまり、表示部１２Ｈは管理者が第２操作部１２Ｇであることを認識する。
【００２５】
操作面部材１２はケース１１の凹部１１Ａを覆うように裏面（後側の面）をケース１１の前側の面に貼着されている。また、第１操作部１２Ｌが位置する操作面部材の裏面側には、この裏面に沿うように公知の圧電素子（図示せず）が配置されている。
【００２６】
このように、リモートコントローラ１０は、操作面１２Ａから凸部１２Ｂを突出させることによって、使用者に凸部１２Ｂの位置を容易に認識させることができる。また、操作面１２Ａからの凸部１２Ｂの突出する高さを点字１２Ｃの突出する高さより小さくすることによって、操作面１２Ａからの凸部１２Ｂの突出する高さが抑えられ、凸部１２Ｂの周囲を拭き残し等なく良好に清掃することができる。
【００２７】
したがって、本発明のリモートコントローラ１０は、清掃性が良好であり、使用者が凸部１２Ｂの位置を容易に認識することができる。
【００２８】
また、このリモートコントローラ１０は、１枚の板状に形成され、凸部１２Ｂ、及び点字１２Ｃの形状を保持して操作面１２Ａを形成した操作面部材１２と、操作面部材１２の裏面に配置した圧電素子とを備えている。このため、リモートコントローラ１０は、圧電素子を用いることによって、凸部１２Ｂを操作した際の凸部１２Ｂの変位量が小さくても、使用者に凸部１２Ｂを操作したこと認識させることができる。
【００２９】
また、このリモートコントローラ１０の操作面１２Ａは、管理者が操作する第２操作部１２Ｇと、管理者が第２操作部１２Ｇであることを認識する表示部１２Ｈとを有している。このため、表示部１２Ｈによってリモートコントローラ１０によって遠隔操作される便器装置２を管理する管理者のみに第２操作部１２Ｇを操作させることができる。第２操作部１２Ｇに管理者モードの機能を付与させることができるため、トイレ装置の管理を簡単にすることができる。
【００３０】
また、このリモートコントローラ１０の第２操作部１２Ｇの表面は操作面１２Ａと面一である。このため、リモートコントローラ１０は第２操作部１２Ｇを備えていることを使用者に対してより認識させ難くすることができる。
【００３１】
また、表示部１２Ｈの表面は操作面１２Ａと面一である。このため、リモートコントローラ１０は第２操作部１２Ｇを備えていることを使用者に対してさらに認識させ難くすることができる。
【００３２】
＜他の実施例＞
（１）実施例１では、操作面部材が合成樹脂製であるが、操作面部材を、ガラス、金属、又は木材等の材料で構成してもよく、これらの材料を併用してもよい。
（２）実施例１では、凸部、及び点字を操作面部材と一体的に形成しているが、凸部、及び点字を別体で形成して、操作面部材に取り付けてもよい。
（３）実施例１では、表示部を操作面に印刷で設けているが、表示部を印刷したフィルム等を操作面に貼り付けてもよい。また、印刷でなくてもよく、表示部を彫刻やエッチング等で設けてもよい。
（４）実施例１では、第２操作部の領域内に表示部が設けられているが、第２操作部の領域外に表示部を設けてもよい。
（５）実施例１では、凸部の表面の全体が操作面から所定の高さ突出しているが、凸部の表面の中央部を操作面に向けて窪むように湾曲させてもよい。また、凸部の表面の中央部を操作面から突出するように湾曲させてもよい。
（６）実施例１では、第１操作部、及び第２操作部が位置する操作面部材の裏面側に、この裏面に沿うように公知の圧電素子が配置されているが、圧電素子が操作面部材の裏面に直接的に当接しなくてもよい。
（７）実施例１では、圧電素子を用いているが、タッチパネルに用いられる公知の感圧式、静電式の素子を用いてもよい。
【符号の説明】
【００３３】
１０…リモートコントローラ（トイレ用リモートコントローラ）
１１Ｅ…表示部
１２Ａ…操作面
１２Ｃ…点字
１２Ｄ…第２操作部
１２Ｌ…第１操作部
【図１】
2019138052.tif 000003
【図２】
2019138052.tif 000004
【図３】
2019138052.tif 000005
【図４】
2019138052.tif 000006
【図５】
2019138052.tif 000007